(57)【要約】【課題】カメラを有して安価に製造できる利便性の高い電子機器を得ることにある。【解決手段】電子機器は、表示画面を備えた筐体と、表示画面の垂線が上方を向く姿勢に筐体を傾けて支持する支持部と、を備えている。カメラが筐体に設けられている。カメラは、基板に実装されているとともに、板金で保持されている。板金は、基板の裏面を接触させて取り付ける取付面、および当該取付面に対して捩じれた角度を有して筐体に固定される固定面を有し、カメラが表示画面の垂線と異なる方向を向くようにカメラを保持している。【選択図】図３
2014006932.tif 000002
【特許請求の範囲】
【請求項１】
表示画面を備えた筐体と、
上記表示画面の垂線が上方を向く姿勢に上記筐体を傾けて支持する支持部と、
上記筐体に設けられたカメラと、
上記カメラが実装された基板と、
上記基板の裏面を接触させて取り付ける取付面、および当該取付面に対して捩じれた角度を有して上記筐体に固定される固定面を有し、上記カメラが上記表示画面の上記垂線と異なる方向を向くように上記カメラを保持した板金と、
を有する電子機器。
【請求項２】
上記板金による上記カメラの固定角度は、上記支持部によって上記表示画面を傾ける角度範囲内で、上記表示画面に向かう人の顔を上記カメラの上下の視野角内に納められる角度に設定された請求項１に記載の電子機器。
【請求項３】
上記カメラが起動中であることを表示するランプをさらに備え、当該ランプが上記基板に実装された請求項１又は請求項２に記載の電子機器。
【請求項４】
上記ランプは、上記カメラの光軸と平行な光軸を有する請求項３に記載の電子機器。
【請求項５】
上記カメラおよび上記ランプは、上記表示画面の上方に配置された請求項３又は請求項４に記載の電子機器。
【請求項６】
上記カメラおよび上記ランプは、上記基板に並べて実装された請求項３ないし請求項５のいずれか一項に記載の電子機器。
【請求項７】
上記カメラおよび上記ランプは、上記表示画面の上記垂線より下方を向く姿勢で保持された請求項６に記載の電子機器。
【請求項８】
画面を備えた本体と、
上記画面が水平より上を向く姿勢に上記本体を傾けて支持する支持部と、
上記本体に設けられたカメラと、
上記カメラが実装された基板と、
上記基板の裏面を接触させて取り付ける取付面、および当該取付面に対して捩じれた角度を有して上記本体に固定される固定面を有し、上記カメラが上記画面の垂線と異なる方向を向くように上記カメラを保持した板金と、
を有する電子機器。
【請求項９】
画面を備えた本体と、
上記画面が水平より上を向く姿勢に上記本体を傾けて支持する支持部と、
上記本体に設けられたカメラと、
上記カメラが実装された基板と、
上記基板の裏面を接触させて取り付ける取付面、および当該取付面と異なる角度に設けられて上記本体に固定される固定面を有し、上記カメラが上記画面の垂線と異なる方向を向くように上記カメラを保持した板金と、
を有する電子機器。
【請求項１０】
上記板金による上記カメラの固定角度は、上記支持部によって上記本体を傾ける角度範囲内で、上記画面に向かう人の顔を上記カメラの上下の視野角内に納められる角度に設定された請求項９に記載の電子機器。
【請求項１１】
上記カメラが起動中であることを表示するランプをさらに備え、当該ランプが上記基板に実装された請求項９又は請求項１０に記載の電子機器。
【請求項１２】
上記ランプは、上記カメラの光軸と平行な光軸を有する請求項１１に記載の電子機器。
【請求項１３】
上記カメラおよび上記ランプは、上記画面の上方に配置されているとともに、上記基板に並べて実装された請求項１１又は請求項１２に記載の電子機器。
【請求項１４】
上記カメラおよび上記ランプは、上記画面の上記垂線より下方を向く姿勢で保持された請求項１２又は請求項１３に記載の電子機器。
【発明の詳細な説明】
【技術分野】
【０００１】
本発明の実施形態は、表示画面とカメラを備えた電子機器に関する。
【背景技術】
【０００２】
従来、表示画面の近くにカメラを備えた電子機器として、例えば、ユーザーを撮影するカメラを備えたノートブック型のパーソナルコンピュータ（以下、ノートＰＣと称する）が普及されている。カメラは、例えば、正面から背面にかけて１８０度回動可能なものが知られている。
【０００３】
ノートＰＣは、本体に対して表示パネルが比較的大きな角度で回動可能であるため、カメラの角度を調整可能であることはユーザーにとって利便性が高い。
【先行技術文献】
【特許文献】
【０００４】
【特許文献１】特開２００１−３０６２３６号公報
【発明の概要】
【発明が解決しようとする課題】
【０００５】
反面、カメラを回動可能にするためには、表示パネルの縁部にカメラを回動させるための機構を設ける必要があり、その分、装置構成が複雑になり、装置の製造コストが高くなる。
【０００６】
よって、カメラを有して安価に製造できる利便性の高い電子機器の開発が望まれている。
【課題を解決するための手段】
【０００７】
実施形態に係る電子機器は、表示画面を備えた筐体と、上記表示画面の垂線が上方を向く姿勢に上記筐体を傾けて支持する支持部と、を備えている。カメラが上記筐体に設けられている。上記カメラは、基板に実装されているとともに、板金で保持されている。上記板金は、上記基板の裏面を接触させて取り付ける取付面、および当該取付面に対して捩じれた角度を有して上記筐体に固定される固定面を有し、上記カメラが上記表示画面の上記垂線と異なる方向を向くように上記カメラを保持している。
【図面の簡単な説明】
【０００８】
【図１】実施形態に係る電子機器の一例としてパーソナルコンピュータを示す外観斜視図である。
【図２】図１のパーソナルコンピュータを矢印Ｆ２方向から見た側面図である。
【図３】図１のパーソナルコンピュータをＦ３−Ｆ３に沿って切断した部分の拡大断面図である。
【図４】図１のパーソナルコンピュータを比較的小さな傾斜角度で設置した場合におけるユーザーとの間の位置関係を示す概略図である。
【図５】図１のパーソナルコンピュータを比較的大きな傾斜角度で設置した場合におけるユーザーとの間の位置関係を示す概略図である。
【図６】図１のパーソナルコンピュータのマスク裏面のカメラ取付部位を示す部分拡大斜視図である。
【図７】図６のマスク裏面にカメラモジュールを取り付けた状態を示す部分拡大斜視図である。
【図８】図７のカメラモジュールをマスク側から見た斜視図である。
【図９】図８のカメラモジュールを分解した図である。
【図１０】図８のカメラモジュールの静電シートを部分的に展開した状態の概観図である。
【図１１】図８のカメラモジュールのモジュール基板および板金を裏面側から見た斜視図である。
【発明を実施するための形態】
【０００９】
以下、図面を参照しながら実施形態について詳細に説明する。
【００１０】
図１は、実施形態に係る電子機器の一例として、放送波を受信する機能を備えたパーソナルコンピュータ１００（以下、ＰＣ１００と称する）の外観斜視図を示す。また、図２は、図１の矢印Ｆ２方向からＰＣ１００を見た側面図を示し、図３は、図１のＦ３−Ｆ３に沿ってＰＣ１００を切断した部分拡大断面図を示す。
【００１１】
ＰＣ１００は、表示画面１０ａを前面に有する表示パネル１０（本体）と、この表示パネル１０の背面側を支持するスタンド２０（支持部）と、を有する。本実施形態のスタンド２０は、図示のように、表示パネル１０を置く机などの台の上面１０１（以下、設置面１０１と称する）から上方に浮かせた状態で表示パネル１０を支持する構造を有するが、例えば、これ以外に、表示パネル１０の下端を設置面１０１に接触させた状態で表示パネル１０の背面を支えるフォトフレームのような構造（図示せず）を採用しても良い。
【００１２】
いずれにしても、スタンド２０は、表示画面１０ａと直交する垂線Ｐが水平方向Ｈより上方に向く姿勢で表示パネル１０を傾けた状態で支持する。これにより、ユーザーに対し、表示画面１０ａを見易くすることができる。本実施形態のスタンド２０は、水平方向Ｈに対して１５°〜３０°の角度範囲で表示画面１０ａの垂線Ｐが傾斜するように、表示パネル１０の傾斜角度θ１を調節することができる支持機構を有する。つまり、表示画面１０ａは、垂直面に対して１５°〜３０°の角度範囲内でその傾斜角度θ１を調節可能となっている。
【００１３】
表示パネル１０は、表示ユニット２を内蔵した筐体４を有する。筐体４内には、ここでは図示を省略したシャーシが設けられ、このシャーシに対して表示ユニット２が取り付けられている。また、シャーシには、上述した支持機構を介してスタンド２０が取り付けられている。この他に、シャーシには、回路基板などの電子部品（図示せず）が取り付けられている。
【００１４】
表示ユニット２の上方で且つ筐体４の内部にはカメラ６が設けられている。筐体４は、表示パネル１０の背面側を覆った背面カバー３と、表示パネル１０の前面側で表示画面１０ａの周囲を覆った矩形枠状のマスク５と、を有する。マスク５の前面５ａは、表示画面１０ａと略面一に配置される。カメラ６は、この表示画面１０ａ（マスク５の前面５ａ）に対して後述する取付角度θ２でマスク５の裏面側に固設される。
【００１５】
つまり、本実施形態のカメラ６は、従来技術として説明したノートＰＣとは異なり、その向きを変更するための角度調節を可能にする回動機構を備えておらず、表示パネル１０に対して固定されている。なお、筐体４の下端近くには、一対のスピーカー８が設けられている。
【００１６】
図２および図３に示すように、カメラ６は、その光軸Ｌが表示画面１０ａの垂線Ｐより下方を向く姿勢でマスク５の裏面に固定して取り付けられている。この光軸Ｌと垂線Ｐとの間の角度をカメラ６の取付角度θ２と称する。つまり、上述したように、表示画面１０ａが上方を向く姿勢に表示パネル１０を傾けた際に、マスク５に固設されたカメラ６が、表示画面１０ａに向かうユーザーの顔の方向を向くように、カメラ６の取付角度θ２を予め下方向きに設定した。
【００１７】
本実施形態のように、カメラ６を表示パネル１０に対して固定すると、ユーザーがカメラ６の向きを自由に変更できなくなる。しかし、カメラ６の向きをいちいち調節する必要がない程度に、予めカメラ６の取付角度θ２を適切な角度に設定しておけば、ユーザーによる角度調節の手間を省くことができ、利便性を向上させることができる。また、本実施形態のように、カメラ６を固定配置することで、カメラ６を回動可能に取り付けるための回動機構が不要となり、その分、装置構成を簡略化でき、装置の製造コストを安価にできる。
【００１８】
ところで、本実施形態のＰＣ１００のように、スタンド２０を用いて設置面１０１上に載置して使用するタイプの電子機器では、従来技術で説明したノートＰＣのように表示パネルをそれほど大きく回動（傾斜）させることがない。このため、ノートＰＣの場合と比較して、表示パネル１０の傾斜角度θ１の変化は小さくなる。実際、本実施形態のＰＣ１００は、１５°〜３０°の範囲内でしか表示パネル１０の傾斜角度θ１を調節することができない。よって、本実施形態のＰＣ１００では、カメラ６を表示パネル１０に固設しても、上述したように狭い範囲の傾斜角度θ１では、ユーザーの顔がカメラ６の視野角から外れる可能性は低く、カメラ６の取付角度θ２を適正化することで、ユーザーの顔をカメラ６の視野角の範囲内に確実に納めることができる。
【００１９】
以下、カメラ６の適切な取付角度θ２（図３参照）について、図４および図５を参照して考察する。図４は、ＰＣ１００の表示パネル１０の傾斜角度θ１を最も小さい１５°に調節した場合におけるユーザーとの間の位置関係を示す概略図であり、図５は、ＰＣ１００の表示パネル１０の傾斜角度θ１を最も大きい３０°に調節した場合におけるユーザーとの間の位置関係を示す概略図である。つまり、表示パネル１０は、図４と図５に図示した状態間の傾斜角度θ１で傾斜可能であり、傾斜角度θ１が図４より小さくなったり、傾斜角度θ１が図５より大きくなったりすることはない。
【００２０】
本実施形態のように、表示パネル１０に対してカメラ６を固設すると、カメラ６の上下方向の向き（光軸Ｌの上下方向）は、表示パネル１０の傾斜角度θ１に応じて一義的に決まる。言い換えると、カメラ６の向きを変えたい場合には、表示パネル１０の傾斜角度θ１を変更することになる。さらに、見方を変えると、カメラ６の向き（すなわち、表示パネル１０の傾斜角度θ１）をその可動範囲内におけるいかなる角度に設定しても、表示画面１０ａに向かうユーザーの顔Ｆがカメラ６の上下の視野角θ３内に納まれば良いことになる。
【００２１】
例えば、図４に示すように、表示パネル１０の傾斜角度θ１を最も小さく（本実施形態では１５°）した場合、カメラ６の上下の視野角θ３の範囲は最も下方に位置し、ユーザーの顔Ｆの上端部が視野角θ３の範囲の上端に近付く。このとき、顔Ｆの上端部が視野角θ３内にあれば、カメラ６の取付角度θ２は許容値であると判断できる。一方、図５に示すように、表示パネル１０の傾斜角度θ１を最も大きく（本実施形態では３０°）した場合、カメラ６の上下の視野角θ３の範囲は最も上方に位置し、ユーザーの顔Ｆの下端部が視野角θ３の範囲の下端に近付く。このとき、顔Ｆの下端部が視野角θ３内にあれば、カメラ６の取付角度θ２は許容値であると判断できる。つまり、図４の状態および図５の状態を同時に満足する角度範囲内でカメラ６の取付角度θ２を満足すれば良く、この角度範囲内の中間値にカメラ６の取付角度θ２を設定することがより好ましい。
【００２２】
つまり、カメラ６の最適な取付角度θ２は、表示パネル１０の傾斜角度θ１の範囲、カメラ６の視野角θ３、ＰＣ１００の設置面１０１からカメラ６までの高さＨ１、およびカメラ６に対するＰＣ１００を操作するユーザーの顔の位置に応じて決まるものである。なお、設置面１０１からカメラ６までの高さＨ１は、表示パネル１０のサイズやスタンド２０の高さ、および表示パネル１０の傾斜角度θ１に応じて変化する。また、ユーザーの顔Ｆの位置は、個人差があるが、例えば、ユーザーの目とカメラ６までの水平方向に沿った距離Ｄと設置面１０１から目までの高さＨ２に置き換えて考えることができる。
【００２３】
ここで、１つの実施例について説明する。
【００２４】
カメラ６の高さＨ１は、上述したように表示パネル１０のサイズ、スタンド２０の高さ、および表示パネル１０の傾斜角度θ１に応じて変化する。例えば、２１インチのサイズの表示パネル１０を１５°傾斜させた場合のカメラ６の高さＨ１は、約３７ｃｍ（スタンド２０の高さを含む）であり、３０°傾斜させた場合のカメラ６の高さＨ１は、約３４ｃｍ（スタンド２０の高さを含む）であった。また、２３インチのサイズの表示パネル１０を１５°傾斜させた場合のカメラ６の高さＨ１は、約３９ｃｍ（スタンド２０の高さを含む）であり、３０°傾斜させた場合のカメラ６の高さＨ１は、約３５．５ｃｍ（スタンド２０の高さを含む）であった。
【００２５】
本実施例では、上述した全ての場合を同時に満足するカメラ６の適切な取付角度θ２を調べた。このとき、全ての場合において、ユーザーの目とカメラ６までの距離Ｄを６０ｃｍに設定し、ユーザーの目の高さＨ２を４０ｃｍに設定した。また、このとき、カメラ６の視野角θ３は７５°であった。その結果、カメラ６の最適な取付角度θ２は、１２°であることがわかった。つまり、上述した２つのサイズの表示パネル１０を１５°〜３０°の傾斜角度θ１で傾斜させた全ての場合において、カメラ６の取付角度θ２を１２°にしてユーザーの顔Ｆを撮影したところ、カメラ６の視野角θ３の範囲内に顔Ｆが納まることが確認できた。
【００２６】
以上のように、表示パネル１０にカメラ６を固定した場合におけるカメラ６の適切な取付角度θ２は、表示パネル１０のサイズ、傾斜角度θ１、スタンド２０の高さ、これらから決まるカメラ６の高さＨ１、カメラ６の視野角θ３、ユーザーの目の高さＨ２、および目とカメラ６との間の距離Ｄから見出すことができる。よって、カメラ６を固定しても、その取付角度θ２を適正化することで、ユーザーの顔Ｆを確実にカメラ６の視野角θ３の範囲内に納めることができる。
【００２７】
次に、図６乃至図１１を参照するとともに図３を参照して、カメラ６の取付構造について詳細に説明する。
【００２８】
図６は、カメラ６を固設するマスク５の裏面を示す部分拡大斜視図であり、図７は、カメラ６を備えたカメラモジュール３０をマスク５の裏面に取り付けた状態を示す部分拡大斜視図である。また、図８は、カメラモジュール３０をマスク５側から見た斜視図であり、図９は、カメラモジュール３０の分解図である。さらに、図１０は、カメラモジュール３０の静電シート３６を部分的に展開した状態の外観図であり、図１１は、カメラモジュール３０のモジュール基板３２と板金３４をそれぞれ裏面側から見た斜視図である。
【００２９】
図６に示すように、マスク５の裏面には、カメラモジュール３０を取り付けるための矩形の凹所５ｂが形成されている。凹所５ｂは、マスク５の上端に沿って左右に延設されている。凹所５ｂの左右中央近くの底部には、カメラ６を配置するための円形の収容部４１が設けられ、収容部４１の中心にはマスク５の前面５ａを貫通した円形の孔４１ａが形成されている。この孔４１ａは、カメラ６の光軸Ｌを通す。孔４１ａには、図３に示すように、光学フィルム４２が設けられている。
【００３０】
また、凹所５ｂの底部には、カメラ６の収容部４１に並んで、発光ダイオード３１（ＬＥＤ３１）（図８）の光軸を通す透光孔４３が設けられている。この透光孔４３は、マスク５の前面５ａまで貫通しており、その前面側に図示しないフィルムが貼り付けられている。ＬＥＤ３１は、図９に示すように、細長い矩形のモジュール基板３２の表面に、カメラ６とともに並んで実装される。このため、ＬＥＤ３１の光軸は、カメラ６の光軸Ｌと平行になる。なお、ＬＥＤ３１は、カメラ６が起動中であることをユーザーに表示するランプとして機能する。
【００３１】
凹所５ｂの外側でその長手方向（左右方向）両端には、カメラモジュール３０の長手方向両端をマスク５の裏面に固定するための２つのボス部４４，４４が設けられている。各ボス部４４は、カメラモジュール３０を締結固定するためのネジ４５（図７）を螺合するためのネジ孔４４ａを有する。また、各ボス部４４には、後述する板金３４の位置決め孔３４ａ（図８，９）に挿通されるピン４４ｂが突設されている。各ピン４４ｂは、それぞれネジ孔４４ａの鉛直上方に近接して設けられている。なお、２つのボス部４４，４４の突出方向端面４７（図６）は、同一平面内に配置され、表示画面１０ａと平行な面を形成している。
【００３２】
カメラモジュール３０は、図９に示すように、カメラ６とＬＥＤ３１を実装したモジュール基板３２、このモジュール基板３２の裏面を接触させて両面テープで貼り付けた板金３４、および静電シート３６を有する。モジュール基板３２の長手方向一端には、信号線および電源線をまとめたケーブル４６を接続するためのコネクタ３３が設けられている。
【００３３】
板金３４は、モジュール基板３２の裏面を接触させて貼り合わせる取付面３５、および上述したマスク裏面のボス部４４の端面４７に接触して固定するための固定面３７を有する。取付面３５およびその両端の固定面３７は、板金３４の同じ側の面に連続して設けられている。つまり、板金３４は、細長い金属板を形状加工して折り曲げた構造を有する。板金３４の両端にある固定面３７には、上述した位置決め孔３４ａに並んで、ネジ４５を挿通するための孔３４ｂが設けられている。
【００３４】
特に、板金３４は、取付面３５とその両端の固定面３７との間で、それぞれ２回ずつ折り曲げられ、取付面３５に対して２つの固定面３７が長手軸を中心にねじれた関係に配置されている。つまり、板金３４は、その両端で、取付面３５に対して斜めに傾斜した折り曲げ部３８（図３、８）をそれぞれ有し、この折り曲げ部３８で、表示画面１０ａに対するカメラ６の取付角度θ２と同じ角度でそれぞれ折り曲げられている。このため、板金３４をボス部４４に締結固定すると、取付面３５が表示画面１０ａに対して取付角度θ２の分だけ捩じれた関係に配置されることになる。
【００３５】
つまり、図３および図７に示すようにカメラモジュール３０をマスク５の裏面に取り付けた場合、表示画面１０ａと平行なボス部４４の端面４７に密着した板金３４の固定面３７に対し、カメラモジュール３０を取り付けた取付面３５が取付角度θ２だけ捩じれた姿勢に配置されるため、カメラ６の光軸Ｌが表示画面１０ａの垂線Ｐに対して取付角度θ２だけ下方を向くことになる。この際、同じモジュール基板３２に実装したＬＥＤ３１の光軸も表示画面１０ａに対して取付角度θ２だけ下方を向くことになる。
【００３６】
上記構造のカメラモジュール３０を組み立てる場合、板金３４の取付面３５から突設された大小２つの突起３９ａ，３９ｂをモジュール基板３２の大小２つの孔３９ｃ、３９ｄに嵌め合わせ、両面テープを介して板金３４の取付面３５にモジュール基板３２の裏面を接着する。そして、図１０に示すように、静電シート３６の裏面側の一端を板金３４の取付面３５の裏面に貼り付け、重なった状態の板金３４とモジュール基板３２を静電シート３６で包囲する。このとき、静電シート３６の比較的大きい方の矩形の窓３６ｂを介してカメラ６がカメラモジュール３０の前方に露出し、比較的小さい方の矩形の窓３６ｃを介してＬＥＤ３１が露出する。最後に、モジュール基板３４の一端にあるコネクタ３３にケーブル４６を接続する。この状態を図８に示す。
【００３７】
上記のように組み立てたカメラモジュール３０をマスク５に取り付ける場合、マスク５の裏面にある凹所５ｂの収容部４１にカメラ６を対向させるとともに、ＬＥＤ３１を透光孔４３に対向させた姿勢でカメラモジュール３０を凹所５ｂにセットする。このとき、板金３４の両端にある位置決め孔３４ａにボス部４４のピン４４ｂを挿通してカメラモジュール３０を容易に位置決めすることができる。このように、カメラモジュール３０を位置決めすると、板金３４の両端に設けた孔３４ｂがボス部４４のネジ孔４４ａにそれぞれ同軸に重なる。この状態で、板金３４の両端の孔３４ａを介してネジ４５を挿通してボス部４４のネジ孔４４ａに螺合し、カメラモジュール３０をマスク５に締結固定する。
【００３８】
以上のようにカメラモジュール３０をマスク５に取り付けると、マスク５の裏面から突出した２つのボス部４４がＰＣ１００の表示画面１０ａと平行な端面４７を有するため、この端面４７に面で接触して取り付けられた板金３４の固定面３７も表示画面１０ａと平行になる。一方、この固定面３７に対して取付角度θ２だけ捩じれた位置関係にある板金３４の取付面３５に裏面を接触させて貼り付けられたモジュール基板３２に実装されたカメラ６やＬＥＤ３１の光軸Ｌは、表示画面１０ａの垂線Ｐに対して取付角度θ２だけ下方に傾斜することになる。
【００３９】
上述した本実施形態の取付構造以外にカメラ６の光軸Ｌを表示画面１０ａの垂線Ｐに対して傾斜させる構造として、例えば、以下の２つの構造が考えられる。
【００４０】
第１に、マスク５の裏面に突設したボス部４４自体を傾斜させる方法が考えられる。しかし、この構造を採用すると、ボス部４４を斜めに形成する必要があり、一体成形が困難となる。また、ボス部４４の傾斜に合わせてネジ孔４４ａも傾斜させる必要があり、ネジ孔４４ａの加工が難しいことに加え、カメラモジュール３０の取り付け作業も難しくなり、作業の手間が増大する。
【００４１】
第２に、ボス部４４の端面４７だけを傾斜させる方法が考えられる。しかし、端面４７を傾斜させると、ネジ４５をネジ孔４４ａに挿通して螺合したとき、カメラモジュール３０との間に不所望な隙間が生じてしまう。この隙間は、カメラモジュール３０の取り付け安定性を損なう。
【００４２】
これに対し、本実施形態のように、カメラモジュール３０を固定する板金３４を加工する方法を採用した場合、少なくともカメラモジュール３０の取り付け作業に係る作業負担が増えることはなく、カメラモジュール３０の取り付け安定性が損なわれることもない。また、板金３４の加工も比較的容易であり、製造コストの大幅な増加につながるものでもない。
【００４３】
以上のように、本実施形態によると、カメラ６を表示パネル１０に固定したため、ユーザーは、カメラ６の角度を気にすることなくＰＣ１００を操作することになり、利便性を向上させることができる。また、カメラ６を固定したため、カメラ６を回動させるための機構が不要となり、装置構成を簡略化でき、安価に製造できる。
【００４４】
また、本実施形態によると、カメラ６を実装したモジュール基板３２にＬＥＤ３１を実装したため、ＬＥＤ３１の光軸もカメラ６の光軸と同じ向きに傾斜させることができる。これにより、比較的指向性の強いＬＥＤ３１の向きをユーザーの顔Ｆに向かわせることができ、カメラ６の起動中であるか否かをユーザーが容易に判断できるようになる。
【００４５】
以上述べた実施形態の電子機器によれば、カメラ６の取付角度θ２を適正化した上でカメラ６を表示パネル１０に固定したため、ユーザーがカメラ６の角度を調節する必要がなく、利便性を向上させることができる。また、本実施形態によると、カメラ６を回動させるための構成が不要となるため、その分、装置構成を簡略化することができ、装置の製造コストを低減することができる。
【００４６】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００４７】
以下に、本願出願の基礎となる原出願の当初の特許請求の範囲に記載された発明を付記する。
【００４８】
［１］表示画面を備えた表示パネルと、
上記表示画面の垂線が上方を向く姿勢に上記表示パネルを傾けて支持する支持部と、
上記表示画面の上方に配置され、上記表示画面の垂線より下方に向く姿勢で上記表示パネルに固設されたカメラと、
を有するテレビジョン受像機。
【００４９】
［２］上記カメラの固定角度は、上記支持部によって上記表示パネルを傾ける角度範囲内で、上記表示画面に向かう人の顔を上記カメラの上下の視野角内に納めることのできる角度に設定されている［１］のテレビジョン受像機。
【００５０】
［３］上記カメラは、該カメラの上記表示パネルに対する取付角度と同じ角度で折り曲げられた板金を介して上記表示パネルに取り付けられる［１］のテレビジョン受像機。
【００５１】
［４］上記板金は、上記カメラを取り付ける取付面を有し、この取付面が上記表示画面に対して上記取付角度の分だけ捩れた関係にある［３］のテレビジョン受像機。
【００５２】
［５］上記取付面には、上記カメラと該カメラが起動中であることを表示するランプを実装した基板の裏面が接触して取り付けられる［４］のテレビジョン受像機。
【００５３】
［６］上記ランプは、上記カメラの光軸と平行な光軸を有して上記基板に実装された発光ダイオードである［５］のテレビジョン受像機。
【００５４】
［７］画面を備えた本体と、
上記画面が水平より上を向く姿勢で上記本体を傾けて支持する支持部と、
上記画面の上方に配置され、上記画面の垂線より下方に向く姿勢で固定されたカメラと、
を有する電子機器。
【符号の説明】
【００５５】
２…表示ユニット、３…背面カバー、４…筐体、５…マスク、５ａ…前面、５ｂ…凹所、６…カメラ、８…スピーカー、１０…表示パネル、１０ａ…表示画面、２０…スタンド、３０…カメラモジュール、３１…ＬＥＤ、３２…モジュール基板、３４…板金、３５…取付面、３６…静電シート、３７…固定面、３８…折り曲げ部、４４…ボス部、４４ａ…ネジ孔、４４ｂ…ピン、４７…端面、１００…パーソナルコンピュータ、１０１…設置面、Ｄ…カメラと目との間の距離、Ｈ…水平方向、Ｈ１…カメラの高さ、Ｈ２…目の高さ、Ｌ…カメラの光軸、Ｐ…表示画面の垂線、θ１…傾斜角度、θ２…取付角度、θ３…視野角。
【図１】
2014006932.tif 000003
【図２】
2014006932.tif 000004
【図３】
2014006932.tif 000005
【図４】
2014006932.tif 000006
【図５】
2014006932.tif 000007
【図６】
2014006932.tif 000008
【図７】
2014006932.tif 000009
【図８】
2014006932.tif 000010
【図９】
2014006932.tif 000011
【図１０】
2014006932.tif 000012
【図１１】
2014006932.tif 000013